(57)【要約】【課題】  自動車シート用仮眠装置であって、仮眠者を種々の感覚的刺激から保護する機能を持ち、更に好適な枕として利用できるものを提供する。【解決手段】  （１）自動車シートのヘッドレストに内蔵され、又はこれに取り付けるハウジングの内部に、このハウジングの側方に設けた引出し口より引出し可能に構成したカバー部材を収納し、（２）このカバー部材は、展開可能な構造のもとに重層されると共に、基端側がハウジングの引出し口から抜けないように拘束された複数のウイングプレートからなり、（３）カバー部材をハウジングから引出すと共に複数のウイングプレートを最大限に展開させた時、これらのウイングプレートがハウジングの前方に筒状のサークル構造体を形成する、自動車シート用仮眠装置。【選択図】          図３  
2006015889.tif 000002
【特許請求の範囲】
【請求項１】
自動車シートのヘッドレストに内蔵させたハウジング、又は自動車シートのヘッドレストに対する取り付け手段を備えたハウジングにおいて構成され、以下の（１）〜（３）の構成を備えることを特徴とする自動車シート用仮眠装置。
（１）前記ハウジングの内部には、このハウジングの側方に設けた引出し口より引出し可能に構成したカバー部材を収納しており、
（２）前記カバー部材は、展開可能な構造のもとに重層されると共に、基端側がハウジングの引出し口から抜けないように拘束された複数のウイングプレートからなり、
（３）前記カバー部材をハウジングから引出すと共に複数のウイングプレートを最大限に展開させた時、これらのウイングプレートがハウジングの前方に筒状のサークル構造体を形成する。
【請求項２】
前記ハウジングの前側壁部が、以下の（４）、（５）の一方又は双方の構成を備えることを特徴とする請求項１に記載の自動車シート用仮眠装置。
（４）人の後頭部にフィットする湾曲面形状を有する。
（５）クッション性の表装材を有する。
【請求項３】
前記ハウジングの内部には、このハウジングの両側の側方に設けた引出し口よりそれぞれ引出し可能な１対のカバー部材を収納しており、これらのカバー部材のウイングプレートが前記筒状のサークル構造体を形成することを特徴とする請求項１又は請求項２に記載の自動車シート用仮眠装置。
【請求項４】
前記１対のカバー部材における複数のウイングプレートの内、展開状態において最先端となるウイングプレートの先端間には、これらの先端相互間を止着する手段が構成されていることを特徴とする請求項３に記載の自動車シート用仮眠装置。
【請求項５】
前記ハウジングの内部には、このハウジングの片側の側方に設けた引出し口より引出し可能な単一のカバー部材を収納しており、このカバー部材のウイングプレートが前記筒状のサークル構造体を形成することを特徴とする請求項１又は請求項２に記載の自動車シート用仮眠装置。
【請求項６】
前記カバー部材の複数のウイングプレートの内の展開状態において最先端となるウイングプレートの先端と、この先端が到達するハウジングの壁部との間には、相互間を止着する手段が構成されていることを特徴とする請求項５に記載の自動車シート用仮眠装置。
【請求項７】
前記複数のウイングプレートの展開可能な重層構造が、断面円弧状の偏平な筐体である外側ウイングプレートの内部に類似断面形状の内側ウイングプレートが引き出し可能に収納されている構造であることを特徴とする請求項１〜請求項６にいずれかに記載の自動車シート用仮眠装置。
【請求項８】
前記複数のウイングプレートの展開可能な重層構造が、回転角度を拘束されたヒンジにより連結された折り畳み構造であることを特徴とする請求項１〜請求項６にいずれかに記載の自動車シート用仮眠装置。
【請求項９】
前記ウイングプレートが、外形を構成するフレームに遮光性のシートを張設したものであることを特徴とする請求項１〜請求項８のいずれかに記載の自動車シート用仮眠装置。
【発明の詳細な説明】
【技術分野】
【０００１】
本発明は自動車シート用仮眠装置に関し、更に詳しくは、仮眠者の安眠のために頭部を種々の感覚的刺激から保護する機能を持ち、更に好適な枕として利用できる自動車シート用仮眠装置に関する。
【背景技術】
【０００２】
自動車シートは一般的に、自動車内で仮眠等の休憩を取る場合を想定して後方へ倒すことができるように設計されているが、こうして仮眠を取る時、頭部や顔面に対する種々の感覚的刺激のために、安眠できない場合が多い。
【０００３】
例えば、目を閉じていても太陽光や各種の照明光等の車外からの入射光が眩しくて安眠できないことがある。このような場合に備えて、アイマスク等の一定の安眠補助具が市販されている。しかし、これらの安眠補助具を利用すれば、少なくとも眩しさは防げるが、その他の各種の感覚的刺激は遮断できない。
【０００４】
例えば、太陽光が頭部や顔面に照射することによる太陽熱の暑熱感は防止できない。更に、車外の人に寝顔を見られるのが気になるとか、恥ずかしいとか言った自然な感情から安眠できない場合もあるが、アイマスク等ではこれらの点でも効果がない。
【０００５】
更に、自動車シートで仮眠する場合、通常はヘッドレストを枕代わりにする。一般的には、枕が使用者の後頭部にフィットした湾曲面を持つと、就寝中の頭部の左右転動が自然に規制されて首への負担がなくなり、楽に眠ることができる。しかし、自動車運転時の安全性等を考慮して、自動車シートのヘッドレストには頭部の左右転動を規制する湾曲面は設けられていない。従って、このような点でも、安らかに仮眠することは困難である。
【発明の開示】
【発明が解決しようとする課題】
【０００６】
そこで本発明は、自動車内で自動車シートを倒して仮眠を取る際に、仮眠者の安眠のために頭部を種々の感覚的刺激から保護する機能を持ち、更に好適な枕として利用できる自動車シート用仮眠装置を提供することを、解決すべき技術的課題とする。
【課題を解決するための手段】
【０００７】
（第１発明の構成）
上記課題を解決するための本願第１発明の構成は、自動車シートのヘッドレストに内蔵させたハウジング、又は自動車シートのヘッドレストに対する取り付け手段を備えたハウジングにおいて構成され、以下の（１）〜（３）の構成を備える、自動車シート用仮眠装置である。
【０００８】
（１）前記ハウジングの内部には、このハウジングの側方に設けた引出し口より引出し可能に構成したカバー部材を収納しており、
（２）前記カバー部材は、展開可能な構造のもとに重層されると共に、基端側がハウジングの引出し口から抜けないように拘束された複数のウイングプレートからなり、
（３）前記カバー部材をハウジングから引出すと共に複数のウイングプレートを最大限に展開させた時、これらのウイングプレートがハウジングの前方に筒状のサークル構造体を形成する。
【０００９】
（第２発明の構成）
上記課題を解決するための本願第２発明の構成は、前記第１発明に係るハウジングの前側壁部が、以下の（４）、（５）の一方又は双方の構成を備える、自動車シート用仮眠装置である。
【００１０】
（４）人の後頭部にフィットする湾曲面形状を有する。
【００１１】
（５）クッション性の表装材を有する。
【００１２】
（第３発明の構成）
上記課題を解決するための本願第３発明の構成は、前記第１発明又は第２発明に係るハウジングの内部には、このハウジングの両側の側方に設けた引出し口よりそれぞれ引出し可能な１対のカバー部材を収納しており、これらのカバー部材のウイングプレートが前記筒状のサークル構造体を形成する、自動車シート用仮眠装置である。
【００１３】
（第４発明の構成）
上記課題を解決するための本願第４発明の構成は、前記第３発明に係る１対のカバー部材における複数のウイングプレートの内の展開状態において最先端となるウイングプレートの先端間には、これらの先端相互間を止着する手段が構成されている、自動車シート用仮眠装置である。
【００１４】
（第５発明の構成）
上記課題を解決するための本願第５発明の構成は、前記第１発明又は第２発明に係るハウジングの内部には、このハウジングの片側の側方に設けた引出し口より引出し可能な単一のカバー部材を収納しており、このカバー部材のウイングプレートが前記筒状のサークル構造体を形成する、自動車シート用仮眠装置である。
【００１５】
（第６発明の構成）
上記課題を解決するための本願第６発明の構成は、前記第５発明に係るカバー部材の複数のウイングプレートの内の展開状態において最先端となるウイングプレートの先端と、この先端が到達するハウジングの壁部との間には、相互間を止着する手段が構成されている、自動車シート用仮眠装置である。
【００１６】
（第７発明の構成）
上記課題を解決するための本願第７発明の構成は、前記第１発明〜第６発明のいずれかに係る複数のウイングプレートの展開可能な重層構造が、断面円弧状の偏平な筐体である外側ウイングプレートの内部に類似断面形状の内側ウイングプレートが引き出し可能に収納されている構造である、自動車シート用仮眠装置である。
【００１７】
（第８発明の構成）
上記課題を解決するための本願第８発明の構成は、前記第１発明〜第６発明のいずれかに係る複数のウイングプレートの展開可能な重層構造が、回転角度を拘束されたヒンジにより連結された折り畳み構造である、自動車シート用仮眠装置である。
【００１８】
（第９発明の構成）
上記課題を解決するための本願第９発明の構成は、前記第１発明〜第８発明のいずれかに係るウイングプレートが、外形を構成するフレームに遮光性のシートを張設したものである、自動車シート用仮眠装置である。
【発明の効果】
【００１９】
（第１発明の効果）
第１発明においては、ハウジングからカバー部材を引出して複数のウイングプレートを展開させると、ハウジングの前方に筒状のサークル構造体が形成される。この筒状のサークル構造体が、自動車シートを倒して就寝する仮眠者の頭部及び顔面を覆い、仮眠者を種々の感覚的刺激から保護する。
【００２０】
即ち、太陽光や各種の照明光等の車外からの入射光を頭部及び顔面の全体から遮断する。従って、入射光の眩しさだけでなく、太陽熱も遮断する。又、車外の人に寝顔を見られることのないように、視覚的にも遮断する。
【００２１】
更に、仮眠装置のハウジングは、自動車シートのヘッドレストに内蔵させたり、自動車シートのヘッドレストに取り付けたりするものであるため、仮眠者には好適な枕となる。以上の種々の作用・効果から、仮眠者は安らかに就寝することができる。
【００２２】
加えて、仮眠装置のハウジングが自動車シートのヘッドレストに対する取り付け手段を備える場合には、非使用時は自動車シートのヘッドレストから取り外して、車室内の適宜な場所に置いておくことができ、しかもカバー部材を構成する複数のウイングプレートは重層状態でハウジングの内部にコンパクトに収納されているため、車室内の適宜な場所に置いても邪魔にならない。仮眠装置のハウジングが自動車シートのヘッドレストに内蔵されている場合、非使用時はカバー部材がヘッドレストの内部に引き込まれているため、全然邪魔にならない。
【００２３】
（第２発明の効果）
自動車シート用仮眠装置において、ハウジングの前側壁部が第２発明の（４）の構成を備えることにより、枕としての仮眠装置が、仮眠者の頭部の左右転動を自然に規制するため、仮眠者の首への負担がなくなり、楽に眠ることができる。更にハウジングの前側壁部が第２発明の（５）の構成を備えることにより、枕としての仮眠装置に柔らかなクッション性が付与され、仮眠者は一層楽に眠ることができる。
【００２４】
（第３発明及び第５発明の効果）
第３発明及び第５発明により、カバー部材及びウイングプレートのそれぞれに好適な実施形態が提供される。
【００２５】
（第４発明及び第６発明の効果）
カバー部材を構成する複数のウイングプレートの内、展開状態において最先端となるウイングプレートの先端に第４発明や第６発明のような止着手段を構成することにより、筒状のサークル構造体を安定化させることができる。
【００２６】
（第７発明及び第８発明の効果）
カバー部材を構成する複数のウイングプレートの展開可能な重層構造として、第７発明や第８発明に規定するような構造を好ましい実施形態として例示することができる。
【００２７】
（第９発明の効果）
ウイングプレート自体の構成は、好ましくは薄いプレートであり、場合によっては断面円弧状である限りにおいて限定されないが、軽量性等を重視する場合には、第９発明のように、所定形状の外形を構成するフレームに遮光性のシートを張設したものを好ましく例示することができる。
【発明を実施するための最良の形態】
【００２８】
次に、本願の第１発明〜第９発明の実施形態を、その最良の形態を含めて説明する。以下において単に「本発明」と言うときは、上記の各発明の内の該当する１又は２以上の発明を一括して指している。
【００２９】
〔自動車シート用仮眠装置〕
本発明に係る自動車シート用仮眠装置は、ハウジングの内部にカバー部材を収納し、これを中空のハウジングの側方に設けた引出し口より引出し可能に構成したものである。このハウジングは、自動車シートのヘッドレストに内蔵された状態で構成されるか、又は独立に構成されると共に自動車シートのヘッドレストに対する取り付け手段を備えさせたものである。この取り付け手段の種類は限定されないが、例えば後述の実施例に示すように、自動車シートのヘッドレストに巻き付けて止着する形式のベルトをハウジングに備えさせても良い。
【００３０】
〔ハウジング〕
上記の構成においてハウジングの構成材料は限定されず、例えばプラスチック製、金属製等とすることができる。ハウジングは、上記構成を備えた中空の筐体である限りにおいてサイズや外形、内部構造等を限定されないが、自動車シートのヘッドレストに内蔵させる場合には自ずからサイズと外形が規定されるし、独立に構成して自動車シートのヘッドレストに取り付ける場合には、自動車シートのヘッドレストと対応する形状及びサイズとすることが好ましい。
【００３１】
ハウジングは、使用者が自動車シートを後方へ倒して仮眠する場合に枕として利用されるものであるから、その前側壁部は人の後頭部にフィットする断面円弧状の湾曲面形状を有することが好ましい。又、このような形状であると、カバー部材が断面円弧状のウイングプレートからなる場合において、収納容器としても優れる。更に、ハウジングの前側壁部は、クッション性の表装材を有することも好ましい。
【００３２】
カバー部材に対するガイド作用に関しては、後述の実施例に示すように、ハウジングの下側壁部と上側壁部にガイド溝を設け、このガイド溝に嵌合する突起をカバー部材の上端面と下端面に設けて、ガイド溝の案内作用に従ってカバー部材が引出し・収納されるようにしても良い。
【００３３】
ガイド溝を、ハウジングにおけるカバー部材の引出し口の付近まで形成すると、このガイド溝の終端部がカバー部材の突起に対するストッパーとなるため、カバー部材がハウジングの引出し口から抜けないように拘束され、カバー部材の最大限の引出し位置が規定される。カバー部材がハウジングの引出し口から抜けないように拘束する手段は、上記のガイド溝／突起の構成に限定されず、例えば、カバー部材における引出し方向に対する後端部に、引出し口に係止する突起部分を形成しておいても良い。
【００３４】
〔カバー部材とウイングプレート〕
ハウジングにおけるカバー部材の収納形態については、（ａ）ハウジングの両側の側方に設けた引出し口よりそれぞれ引出し可能な１対のカバー部材をハウジングの内部に収納する場合と、（ｂ）ハウジングの片側の側方に設けた引出し口より引出し可能な単一のカバー部材を収納する場合とがある。いずれの場合にも、カバー部材のウイングプレートは、展開することによってハウジングの前方に筒状のサークル構造体を形成できるように構成される。「ハウジングの側方」とは、自動車シートにおける側方を意味する。
【００３５】
カバー部材は複数のウイングプレートからなり、これらのウイングプレートは展開可能な構造で重層されている。従って、複数のウイングプレートには、ハウジングから引出され展開された状態において、基端側を構成するウイングプレートから先端側を構成するウイングプレートまでが重層されている。
【００３６】
ハウジングの引出し口に係止する突起部分をカバー部材に設ける場合、突起部分は実際には最も基端側を構成するウイングプレートにおいて形成される。又、上記したように、ウイングプレートは、ハウジングから引出され展開された状態において、筒状のサークル構造体を構成するものであるので、そのために必要な枚数のウイングプレートから、カバー部材が構成される。筒状のサークル構造体は、ハウジングを枕として仮眠する者の頭部周囲を覆うことができる大きさを有する。筒状のサークル構造体を、光の遮断性や音の遮断性を重視して頭部周囲を密に覆うサイズとするか、快適な呼吸等を考慮して頭部周囲にある程度の空間を残して覆うサイズとするかは、任意に設計すれば良い。
【００３７】
ウイングプレートによって構成される筒状のサークル構造体を構造的に安定化させるために、最先端を構成するウイングプレートには相手材に対する止着手段を設けることが好ましい。「相手材」とは、上記（ａ）の場合には、他一方のカバー部材における最先端側のウイングプレートであり、上記（ｂ）の場合には、ハウジングにおける引出し口と反対側の壁部である。止着手段の種類は限定されないが、例えば、相互の止着部に対してそれぞれＳ極とＮ極の磁石を取り付けたり、いわゆるマジックテープのそれぞれループ側とフック側を取り付けたりすることができる。
【００３８】
複数のウイングプレートを展開可能に重層してハウジングの内部に収納するための構造は限定されないが、好ましくは、（イ）偏平な筐体である外側ウイングプレートの内部に類似断面形状の内側ウイングプレートが引き出し可能に収納されると言う重箱式の構造、あるいは、（ロ）回転角度を拘束されたヒンジにより連結された折り畳み構造、とすることができる。上記（イ）の重箱式構造においては、ウイングプレート間に角度調節機能がないため、複数のウイングプレートをそれぞれ必要な角度に湾曲した断面円弧状に形成し、全体として筒状体を構成できるように設定する。上記（ロ）の折り畳み構造においては、ウイングプレート連結用のヒンジに角度調節機能を持たせることができるので、各ウイングプレートは平坦形状であっても良い。
【００３９】
ウイングプレートは、プラスチックその他の任意の材質からなる偏平なプレート体（上記の重箱式構造においてはプレート状筐体）であっても良いが、外形を構成するフレームに遮光性のシートを張設したものであっても良い。
【実施例】
【００４０】
以下に、本発明の実施例を図面に基づいて説明する。本発明の技術的範囲が以下の実施例によって限定されないことは、もちろんである。
【００４１】
（実施例の構成）
図１に示す自動車シート用仮眠装置１は、自動車シートのヘッドレスト２に対して使用時には取り付け、非使用時には取り外しできる形式であり、その取り付けは、図１には図示しないが、図４（ａ）に示すように、ハウジング３に備えた取り付け用ベルト４を用いて、自動車シート用仮眠装置１をヘッドレスト２に括り着けることにより行われる。その取り付け状態を図６に示すが、自動運転時等の仮眠装置非使用時には、ヘッドレスト２から取り外しても良い。
【００４２】
なお、本実施例の変更例として、図示はしないが、自動車シート用仮眠装置１をヘッドレスト２の内部に構成しても良い。その場合、ヘッドレスト２の前側面（使用者５の後頭部が当接する面）は、図１におけるハウジング３の前側面のように、使用者５の後頭部にフィットする断面形状の湾曲面形状としても良い。
【００４３】
軽量なプラスチック製の容器体であるハウジング３の内部には、このハウジングの両側の側方に設けた引出し口７より引出し可能に構成したカバー部材８を収納している。これらのカバー部材８は、断面円弧状の偏平な筐体である外側ウイングプレート９ａ、１０ａの内部に、同様に断面円弧状である内側ウイングプレート９ｂ、１０ｂが引き出し可能に収納されると言う重箱式の構造を持っている。これらのウイングプレートも、軽量なプラスチック製である。
【００４４】
図５のハウジング縦断面図に示すように、ハウジング３の下側壁部内周面と上側壁部内周面にはガイド溝１１を設けており、このガイド溝１１に対して、外側ウイングプレート９ａ、１０ａの上面と下面に突出させた突起１２が嵌め込まれている。このため、ハウジング３内部の外側ウイングプレート９ａ、１０ａは、ガイド溝１１の案内作用に従ってハウジング３から引き出され、あるいはハウジング３に収納される。
【００４５】
更に、外側ウイングプレート９ａ、１０ａの下側壁部内周面と上側壁部内周面にはガイド溝１３を設けており、このガイド溝１３に対して、内側ウイングプレート９ｂ、１０ｂの上面と下面に突出させた突起１４が嵌め込まれている。このため、外側ウイングプレート９ａ、１０ａの内部の内側ウイングプレート９ｂ、１０ｂは、ガイド溝１３の案内作用に従って外側ウイングプレート９ａ、１０ａから引き出され、あるいは収納される。
【００４６】
又、上記のガイド溝１１は、ハウジング３から外側ウイングプレート９ａ、１０ａが抜けてしまう直前の部位までしか形成されず、上記のガイド溝１３は、内側ウイングプレート９ｂ、１０ｂが外側ウイングプレート９ａ、１０ａから抜けてしまう直前の部位までしか形成されていない。そのため、ガイド溝１１、１３の終端部が、外側ウイングプレート９ａ、１０ａの突起１２、又は内側ウイングプレート９ｂ、１０ｂの突起１４に対する抜止め用ストッパーとなっている。
【００４７】
外側ウイングプレート９ａ、１０ａ及び内側ウイングプレート９ｂ、１０ｂの引出し端部側には、それぞれ引出し用の摘まみ部１５、１６が設けられている。又、ウイングプレートの引出し・展開時において、内側ウイングプレート９ｂ、１０ｂは先端側のウイングプレートとなるから、図４（ｂ）に示すように、それらの先端の上記摘まみ部１６には、相互の止着手段として、Ｓ極磁石１７、Ｎ極磁石１８をそれぞれ取り付けている。
【００４８】
（実施例の使用状態）
以上のように構成された実施例１の自動車シート用仮眠装置は、前記の取り付け用ベルト４を用いて図６のようにヘッドレスト２に取り付けられる。そして、自動車シートを後方に倒し、図２のように、ハウジング３から外側ウイングプレート９ａ、１０ａを引出す。更に、図３のように、外側ウイングプレート９ａ、１０ａから内側ウイングプレート９ｂ、１０ｂを引出し、これらの先端の摘まみ部１６間を前記の磁石の作用により止着する。
【００４９】
これにより、外側ウイングプレート９ａ、１０ａ及び内側ウイングプレート９ｂ、１０ｂによって、ハウジング３の前方（図３における上方）に筒状のサークル構造体が形成され、図７に示すように、仮眠者の頭部は、このサークル構造体に周囲を覆われることにより、外部からの光線や人の視線等の各種の感覚的刺激から遮断される。
【産業上の利用可能性】
【００５０】
本発明によって、自動車シート用仮眠装置であって、仮眠者の安眠のために頭部を種々の感覚的刺激から保護する機能を持ち、更に好適な枕として利用できるものが提供される。
【図面の簡単な説明】
【００５１】
【図１】実施例の構成を示す断面図である。
【図２】実施例の使用状態を示す断面図である。
【図３】実施例の使用状態を示す断面図である。
【図４】図４（ａ）は仮眠装置の取り付け状態を示す斜視図、図４（ｂ）は実施例の要部を拡大して示す断面図である。
【図５】実施例の構成を示す断面図である。
【図６】実施例の使用状態を示す断面図である。
【図７】実施例の使用状態を示す断面図である。
【符号の説明】
【００５２】
１                  自動車シート用仮眠装置
２                  ヘッドレスト
３                  ハウジング
７                  引出し口
８                  カバー部材
９ａ、１０ａ        外側ウイングプレート
９ｂ、１０ｂ        内側ウイングプレート
１１、１３          ガイド溝
１２、１４          突起
１５、１６          摘まみ部
１７、１８          磁石
【図１】
2006015889.tif 000003
【図２】
2006015889.tif 000004
【図３】
2006015889.tif 000005
【図４】
2006015889.tif 000006
【図５】
2006015889.tif 000007
【図６】
2006015889.tif 000008
【図７】
2006015889.tif 000009